(57)【要約】【課題】回生電力消費用の抵抗器の容量を小さくし、かつ、設置スペースを小さくする。【解決手段】回生制御回路４は直流出力ライン間の電圧値が回生電力の影響により予め定められた基準値を超えた場合に半導体スイッチング素子５のベース・エミッタ間に電圧を印加する。すると半導体スイッチング素子５がオン状態となり、回生電力が抵抗器８により消費される。半導体スイッチング素子５がオン状態となると、冷却ファン駆動回路９は半導体スイッチング素子５のコレクタ・エミッタ間電圧の発生にしたがって電源電力を得て、これを冷却ファン電動機１０に供給する。これによりファン１１が回転駆動する。これによりファン１１を回転駆動させるための電源回路を新たに設ける必要がなくなる。よって、電力変換回路全体の設置スペースを小さくできる。【選択図】図１
2007062896.tif 000002
【特許請求の範囲】
【請求項１】
交流電源からの交流電力を直流電力に変換する整流回路と、
この整流回路で変換された直流電力の脈動を平滑化する平滑コンデンサと、
この平滑化された直流電力を可変電圧可変周波数の交流電力に変換して出力するインバータと、
このインバータから出力された交流電力で駆動して乗りかごを昇降させる電動機と、
スイッチング素子を介して前記インバータの直流側と接続され、前記電動機の回生電力を消費する抵抗器と、
この抵抗器を空冷するためのファンと、
前記インバータの直流電圧値が予め定められた基準値を超えた場合に前記スイッチング素子を導通させる導通制御手段と、
この導通制御手段により導通したスイッチング素子の端子電圧を利用して前記ファンを駆動させる駆動制御手段と
を備えることを特徴とするエレベータ制御装置。
【請求項２】
交流電源からの交流電力を直流電力に変換する整流回路と、
この整流回路で変換された直流電力の脈動を平滑化する平滑コンデンサと、
この平滑化された直流電力を可変電圧可変周波数の交流電力に変換して出力するインバータと、
このインバータから出力された交流電力で駆動して乗りかごを昇降させる電動機と、
エミッタが前記インバータの直流側の低電位点と接続されるトランジスタと、
一端が前記トランジスタのコレクタと接続され、他端が前記インバータの直流側の高電位点と接続され、前記電動機の回生電力を消費する抵抗器と、
この抵抗器を空冷するためのファンと、
前記トランジスタのベースと接続され、前記インバータの直流電圧値が予め定められた基準値を超えた場合に前記トランジスタを導通させる導通制御手段と、
この導通制御手段により導通したトランジスタのエミッタとコレクタの間の電圧を利用して前記ファンを駆動させる駆動制御手段と
を備えることを特徴とするエレベータ制御装置。
【請求項３】
交流電源からの交流電力を直流電力に変換する整流回路と、
この整流回路で変換された直流電力の脈動を平滑化する平滑コンデンサと、
この平滑化された直流電力を可変電圧可変周波数の交流電力に変換して出力するインバータと、
このインバータから出力された交流電力で駆動して乗りかごを昇降させる電動機と、
第１のスイッチを介して前記インバータの直流側と接続され、前記電動機の回生電力を消費する抵抗器と、
この抵抗器を空冷するためのファンと、
第２のスイッチを介して前記インバータの直流側と接続され、このスイッチが導通した際に前記インバータの直流側の電圧を利用して前記ファンを駆動させる駆動制御手段と、
前記インバータの直流電圧値が予め定められた基準値を超えた場合に前記第１および第２のスイッチを導通させる導通制御手段と
を備えることを特徴とするエレベータ制御装置。
【請求項４】
前記第１および第２のスイッチの動作状態および前記ファンの動作状態のうち少なくとも一方を監視する監視手段をさらに備えることを特徴とする請求項３に記載のエレベータ制御装置。
【請求項５】
交流電源からの交流電力を直流電力に変換する整流回路と、
この整流回路で変換された直流電力の脈動を平滑化する平滑コンデンサと、
この平滑化された直流電力を可変電圧可変周波数の交流電力に変換して出力するインバータと、
このインバータから出力された交流電力で駆動して乗りかごを昇降させる電動機と、
第１のスイッチを介して前記インバータの直流側と接続され、前記電動機の回生電力を消費する抵抗器と、
この抵抗器を空冷するためのファンと、
第２のスイッチを介して前記インバータの直流側と接続され、このスイッチの導通にともなって電力を蓄電する蓄電装置と、
前記インバータの直流電圧値が予め定められた基準値を超えた場合に前記第１および第２のスイッチを導通させる導通制御手段と、
前記蓄電装置が蓄電した電力を利用して前記ファンを駆動させる駆動制御手段と
を備えることを特徴とするエレベータ制御装置。
【請求項６】
交流電源からの交流電力を直流電力に変換する整流回路と、
この整流回路で変換された直流電力の脈動を平滑化する平滑コンデンサと、
この平滑化された直流電力を可変電圧可変周波数の交流電力に変換して出力するインバータと、
このインバータから出力された交流電力で駆動して乗りかごを昇降させる電動機と、
スイッチング素子を介して前記インバータの直流側と接続され、前記電動機の回生電力を消費する抵抗器と、
この抵抗器を空冷するためのファンと、
前記インバータの直流電圧値が予め定められた基準値を超えた場合に前記スイッチング素子を導通させる導通制御手段と、
この導通制御手段により導通したスイッチング素子の端子から電力を蓄電する蓄電装置と、
前記蓄電装置が蓄電した電力を利用して前記ファンを駆動させる駆動制御手段と
を備えることを特徴とするエレベータ制御装置。
【請求項７】
前記交流電源を共用し、複数台のエレベータのそれぞれに対応させて設けられることを特徴とする請求項１に記載のエレベータ制御装置。
【請求項８】
前記それぞれのエレベータと対応して設けられる駆動制御手段は、前記導通制御手段により導通したスイッチング素子の端子電圧を利用して他のエレベータとそれぞれ対応して設けられる駆動制御手段に電力を供給することを特徴とする請求項７に記載のエレベータ制御装置。
【請求項９】
前記導通制御手段により導通したスイッチング素子の端子から電力を蓄電する、前記複数台のエレベータに共通の蓄電装置をさらに備え、
前記それぞれのエレベータと対応して設けられる駆動制御手段は、前記蓄電装置が蓄電した電力を利用して前記ファンを駆動させる
ことを特徴とする請求項７に記載のエレベータ制御装置。
【請求項１０】
前記複数台のエレベータのそれぞれに対応させて、前記ファンの動作状態を監視する監視手段をさらに備えることを特徴とする請求項７に記載のエレベータ制御装置。
【請求項１１】
交流電源からの交流電力を直流電力に変換する整流回路と、
この整流回路で変換された直流電力の脈動を平滑化する平滑コンデンサと、
この平滑化された直流電力を可変電圧可変周波数の交流電力に変換して出力するインバータと、
このインバータから出力された交流電力で駆動して乗りかごを昇降させる電動機と、
第１のスイッチを介して前記インバータの直流側と接続され、前記電動機の回生電力を消費する抵抗器と、
前記インバータを空冷するためのファンと、
第２のスイッチを介して前記インバータの直流側と接続され、このスイッチが導通した際に前記インバータの直流側の電圧を利用して前記ファンを駆動させる駆動制御手段と、
前記インバータの直流電圧値が予め定められた基準値を超えた場合に前記第１および第２のスイッチを導通させる導通制御手段と
を備えることを特徴とするエレベータ制御装置。
【請求項１２】
前記ファンの駆動により外部から前記インバータに向かって吹き付けられる風が前記抵抗器にも吹き付けられるように前記ファンとインバータと抵抗器の位置関係を定めたことを特徴とする請求項１１に記載のエレベータ制御装置。
【請求項１３】
交流電源からの交流電力を直流電力に変換する整流回路と、
この整流回路で変換された直流電力の脈動を平滑化する第１の平滑コンデンサと、
この平滑化された直流電力を可変電圧可変周波数の交流電力に変換して出力するインバータと、
このインバータから出力された交流電力で駆動して乗りかごを昇降させる電動機と、
第１のスイッチを介して前記インバータの直流側と接続され、前記電動機の回生電力を消費する抵抗器と、
第２の平滑コンデンサを介して前記インバータの直流側と接続される第２のスイッチと、
前記第２の平滑コンデンサと並列接続される半導体スイッチング素子と、
この半導体スイッチング素子と接続される蓄電装置と、
この蓄電装置を空冷するためのファンと、
第３のスイッチを介して前記インバータの直流側と接続され、このスイッチが導通した際に前記インバータの直流側の電圧を利用して前記ファンを駆動させる駆動制御手段と、
前記インバータの直流電圧値が予め定められた基準値を超えた場合に前記第１乃至第３のスイッチを導通させる導通制御手段と
を備えることを特徴とするエレベータ制御装置。
【請求項１４】
前記第１乃至第３のスイッチの少なくとも１つの動作状態および前記ファンの動作状態のうち少なくとも一方を監視する監視手段をさらに備えることを特徴とする請求項１３に記載のエレベータ制御装置。
【発明の詳細な説明】
【技術分野】
【０００１】
本発明は、建屋側配電系統と接続されたエレベータ制御装置に関する。
【背景技術】
【０００２】
従来のエレベータ制御装置の電力変換回路の構成例を図１４に示す。この電力変換回路では、商用三相交流電源６１に整流回路６２が接続される。整流回路６２は交流電源６１から出力される三相交流電力を直流電力に変換する。整流回路６２の直流出力ライン間には平滑コンデンサ６３が設けられる。
【０００３】
整流回路６２からみた平滑コンデンサ６３の後段には平滑コンデンサ６３で平滑化された直流電力を可変電圧可変周波数の交流電力に変換して電動機６７に供給するインバータ６６が設けられる。
【０００４】
また、整流回路６２の直流出力ライン間には回生制御回路６４が設けられる。また、この直流出力ラインの低電位点には半導体スイッチング素子６５のエミッタが接続される。半導体スイッチング素子６５のコレクタと直流出力ラインの高電位点の間には抵抗器６８が設けられる。
【０００５】
この回路では電動機６７から回生電力が供給されて直流出力ライン間の電圧が予め定められた基準値を越えると回生制御回路６４が半導体スイッチング素子６５をオン状態とする。すると抵抗器６８により回生電力が消費され、直流出力ライン間の電圧が基準値以下に保たれる。
【０００６】
このような構成では回生電力を抵抗器で熱エネルギーに変換して消費している。しかし、例えば特許文献１に開示されたように、抵抗器を空冷するためのファンを設け、直流出力ライン間の電圧が基準値を超えた場合にファンを駆動させて抵抗器を空冷する装置がある。
【特許文献１】特開平４−２６３８７号公報
【発明の開示】
【発明が解決しようとする課題】
【０００７】
前述したように抵抗器をファンで空冷すれば抵抗器の温度上昇を防ぐことができるので抵抗器の容量自体を小さくすることができる。しかしファンを駆動させるための電源の設置スペースを別途確保する必要があるので装置の小型化の妨げとなってしまう。
【０００８】
そこで、本発明の目的は、回生電力消費用の抵抗器の容量を小さくし、かつ、装置全体の設置スペースを小さくすることが可能になるエレベータ制御装置を提供することにある。
【課題を解決するための手段】
【０００９】
すなわち、本発明に係わるエレベータ制御装置は、交流電源からの交流電力を直流電力に変換する整流回路と、この整流回路で変換された直流電力の脈動を平滑化する平滑コンデンサと、この平滑化された直流電力を可変電圧可変周波数の交流電力に変換して出力するインバータと、このインバータから出力された交流電力で駆動して乗りかごを昇降させる電動機と、スイッチング素子を介して前記インバータの直流側と接続され、電動機の回生電力を消費する抵抗器と、この抵抗器を空冷するためのファンとを備え、インバータの直流電圧値が予め定められた基準値を超えた場合に前記スイッチング素子を導通させ、導通したスイッチング素子の端子電圧を利用してファンを駆動させることを特徴とする。
【発明の効果】
【００１０】
本発明に係わるエレベータ制御装置では、交流電源からの交流電力を直流電力に変換する整流回路と、この整流回路で変換された直流電力の脈動を平滑化する平滑コンデンサと、この平滑化された直流電力を可変電圧可変周波数の交流電力に変換して出力するインバータと、このインバータから出力された交流電力で駆動して乗りかごを昇降させる電動機と、スイッチング素子を介して前記インバータの直流側と接続され、電動機の回生電力を消費する抵抗器と、この抵抗器を空冷するためのファンとを備え、インバータの直流電圧値が予め定められた基準値を超えた場合に前記スイッチング素子を導通させ、導通したスイッチング素子の端子電圧を利用してファンを駆動させるので、回生電力消費用の抵抗器の容量を小さくし、かつ、装置全体の設置スペースを小さくすることができる。
【発明を実施するための最良の形態】
【００１１】
以下図面により本発明の実施形態について説明する。  
（第１の実施形態）
まず、本発明の第１の実施形態について説明する。  
図１は、本発明の第１の実施形態にしたがったエレベータ制御装置の電力変換回路の構成例を示すブロック図である。
【００１２】
まず、この回路では建屋側配電系統の商用三相交流電源１に整流回路２が接続される。整流回路２はダイオードで構成され、交流電源１から出力される三相交流電力を直流電力に変換する。整流回路２の直流出力ライン間には平滑コンデンサ３が設けられる。平滑コンデンサ３は整流回路２で変換された直流電力に含まれる脈動分（リプル）を平滑化する。
【００１３】
整流回路２からみた平滑コンデンサ３の後段にはインバータ６が設けられる。インバータ６はダイオードおよびトランジスタで構成され、平滑コンデンサ３で平滑化された直流電力を可変電圧可変周波数の交流電力に変換して電動機７に供給する。
【００１４】
また、整流回路２の直流出力ライン間には回生制御回路４が設けられる。また、この直流出力ラインの低電位点には半導体スイッチング素子５のエミッタが接続される。半導体スイッチング素子５のコレクタと直流出力ラインの高電位点の間には回生電力消費用の抵抗器８が設けられる。
【００１５】
また、抵抗器８の近傍には当該抵抗器８を空冷するためのファン１１が設けられる。半導体スイッチング素子５のコレクタと直流出力ラインの低電位点との間には冷却ファン駆動回路９が設けられる。冷却ファン駆動回路９は電力を得た場合にこれを冷却ファン電動機１０に出力することでファン１１を回転駆動させる。
【００１６】
また、図示はしないが、電動機７の回転軸にはロープ式エレベータのメインシーブが接続される。電動機７の駆動にともなってメインシーブが回転するとメインシーブおよびそらせシーブに跨って巻き掛けられたワイヤロープの端部にそれぞれ吊下げられた乗りかご及び釣り合いおもりが互いに昇降する。
【００１７】
このような構成の回路では乗りかごの減速時、軽負荷上昇時または重負荷下降時に電動機７が回生運転状態となり、回生電力がインバータ６に供給される。回生制御回路４は直流出力ライン間の電圧値が回生電力の影響により予め定められた基準値を超えた場合に半導体スイッチング素子５のベース・エミッタ間に電圧を印加することで当該半導体スイッチング素子５をオン状態とする。すると回生電力が抵抗器８により消費される。
【００１８】
ここで、前述したように半導体スイッチング素子５がオン状態となると、冷却ファン駆動回路９は半導体スイッチング素子５のコレクタ・エミッタ間の端子電圧の発生にしたがって電力を得て、これを冷却ファン電動機１０に供給する。これによりファン１１が回転駆動する。
【００１９】
このような構成とすれば、電動機７からの回生電力の発生にともなってファン１１が回転するようになるので、抵抗器８の温度上昇を防ぐことができるばかりでなく、ファン１１を回転駆動させるための電源回路を新たに設ける必要がなくなる。よって、電力変換回路全体の設置スペースを小さくできる。
【００２０】
（第２の実施形態）
次に、本発明の第２の実施形態について説明する。なお、本実施形態に係るエレベータ制御装置の電力変換回路の構成および動作は図１に示したものと基本的にほぼ同様であるので、同一部分の説明は省略する。  
図２は、本発明の第２の実施形態にしたがったエレベータ制御装置の電力変換回路の構成例を示すブロック図である。
【００２１】
この回路は図１に示した回路と比較して、整流回路２の直流出力ラインの低電位点に電磁接触器２１の一端が接続される。冷却ファン駆動回路９は図１に示した回路と異なり、電磁接触器２１の他端と直流出力ラインの高電位点との間に設けられる。
【００２２】
なお、この回路では直流出力ラインの高電位点に電磁接触器２１の一端を接続し、冷却ファン駆動回路９を電磁接触器２１の他端と直流出力ラインの低電位点との間に設けてもよい。
【００２３】
この回路では電磁接触器２１の開閉を制御するための電磁接触器駆動回路２２が新たに備えられる。電磁接触器駆動回路２２は回生制御回路４と接続される。
【００２４】
この回路の動作を説明する。回生制御回路４は直流出力ライン間の電圧値が回生電力の影響により予め定められた基準値を超えた場合に、第１の実施形態と同様に半導体スイッチング素子５をオン状態とするのに加え、電子接触器駆動回路２２に対し電磁接触器２１の励磁を指示するための制御信号を出力する。
【００２５】
電子接触器駆動回路２２は回生制御回路４からの制御信号を入力すると電磁接触器２１を励磁させることでこれをオン状態とする。電磁接触器２１がオン状態となると冷却ファン駆動回路９は直流出力ライン間から電力を得て、これを冷却ファン電動機１０に供給する。これによりファン１１が回転駆動する。  
このような構成とすれば第１の実施形態にしたがった回路と同様の効果を得ることができる。
【００２６】
（第３の実施形態）
次に、本発明の第３の実施形態について説明する。なお、本実施形態に係るエレベータ制御装置の電力変換回路の構成および動作は図２に示したものと基本的にほぼ同様であるので、同一部分の説明は省略する。  
図３は、本発明の第３の実施形態にしたがったエレベータ制御装置の電力変換回路の構成例を示すブロック図である。
【００２７】
この回路は図２に示した回路と比較して、マイコン２３および監視モニタ２４をさらに備える。マイコン２３は回生制御回路４、冷却ファン駆動回路９、電磁接触器駆動回路２２および監視モニタ２４と接続される。
【００２８】
この回路では、回生制御回路４は整流回路２の直流出力ライン間の電圧値が回生電力の影響により予め定められた基準値を超えた場合に、電磁接触器２１の励磁を指示するための制御信号をマイコン２３を介して電磁接触器駆動回路２２に出力する。また、マイコン２３は冷却ファン駆動回路９の動作状態および電磁接触器駆動回路２２の動作状態を監視して、この結果を示す情報を監視モニタ２４に表示させる。
【００２９】
このような構成とすることで、エレベータの管理者はエレベータ制御装置の電力変換回路のファン１１の動作状態および電磁接触器２１の動作状態のそれぞれが異常であるか否かを容易に知ることができる。
【００３０】
また、図示はしないが、マイコン２３および監視モニタ２４を本発明の第１の実施形態にしたがった電力変換回路に設け、このマイコン２３により冷却ファン駆動回路９の動作状態を監視し、この結果を示す情報を監視モニタ２４に表示させるようにしてもよい。
【００３１】
（第４の実施形態）
次に、本発明の第４の実施形態について説明する。なお、本実施形態に係るエレベータ制御装置の電力変換回路の構成および動作は図３に示したものと基本的にほぼ同様であるので、同一部分の説明は省略する。  
図４は、本発明の第４の実施形態にしたがったエレベータ制御装置の電力変換回路の構成例を示すブロック図である。
【００３２】
この回路は図３に示した回路と比較してバッテリ２５をさらに備える。この回路では整流回路２の直流出力ラインの高電位点に電磁接触器２１の一端を接続し、バッテリ２５を電磁接触器２１の他端と直流出力ラインの低電位点との間に設ける。バッテリ２５は冷却ファン駆動回路９と接続される。
【００３３】
なお、この回路では、直流出力ラインの低電位点に電磁接触器２１の一端を接続し、バッテリ２５を電磁接触器２１の他端と直流出力ラインの高電位点との間に設けてもよい。
【００３４】
この回路の動作を説明する。この回路では電磁接触器２１がオン状態となるとバッテリ２５は直流出力ライン間から電力を得て、これを蓄電する。冷却ファン駆動回路９はバッテリ２５に蓄電された電力を冷却ファン電動機１０に供給する。これによりファン１１が回転駆動する。
【００３５】
このような構成では、直流出力ライン間の電圧値が前述した基準値以下である場合でもバッテリ２５に電力が蓄電されていればファン１１の回転駆動を継続することができるので電動機７が回生運転状態でない場合でも抵抗器８を空冷することができる。よって抵抗器８の冷却効率を向上させることができる。
【００３６】
また、図示はしないが、図１に示した回路の半導体スイッチング素子５のコレクタ・エミッタ間に冷却ファン駆動回路９を設ける代わりにバッテリ２５を設け、このバッテリ２５に冷却ファン駆動回路９を設ける構成としても同様の効果が得られる。
【００３７】
（第５の実施形態）
次に、本発明の第５の実施形態について説明する。なお、本実施形態に係るエレベータ制御装置の電力変換回路の構成のうち図１に示したものと同一部分の説明は省略する。  
図５は、本発明の第５の実施形態にしたがったエレベータ制御装置の電力変換回路の構成例を示すブロック図である。
【００３８】
この回路は図１に示した構成の回路を複数台のエレベータのそれぞれに対応させて設けたものである。具体的には、この回路は交流電源１を共用し、１台目のエレベータと対応する電力変換回路として、整流回路２ａ、平滑コンデンサ３ａ、回生制御回路４ａ、スイッチング素子５ａ、インバータ装置６ａ、電動機７ａ、抵抗器８ａ、冷却ファン駆動回路９ａ、冷却ファン電動機１０ａおよび冷却ファン１１ａを備える電力変換回路の整流回路２ａが交流電源１と接続される。
【００３９】
また、２台目のエレベータと対応する電力変換回路として、整流回路２ｂ、平滑コンデンサ３ｂ、回生制御回路４ｂ、スイッチング素子５ｂ、インバータ装置６ｂ、電動機７ｂ、抵抗器８ｂ、冷却ファン駆動回路９ｂ、冷却ファン電動機１０ｂおよび冷却ファン１１ｂを備える電力変換回路の整流回路２ｂが交流電源１と接続される。各回路の動作は図１に示した回路と同じである。
【００４０】
このような構成とすれば、建屋に設置されたエレベータが複数台であってもそれぞれのエレベータの電力変換回路においてファン用の電源を別途設けることなく回生電力消費用の抵抗器を空冷することができる。
【００４１】
また、図示はしないが、図１に示した構成の回路を複数台のエレベータのそれぞれに対応させて設け、交流電源１を共用する回路を構成しても同様の効果が得られる。
【００４２】
（第６の実施形態）
次に、本発明の第６の実施形態について説明する。なお、本実施形態に係るエレベータ制御装置の電力変換回路の構成および動作は図５に示したものと基本的にほぼ同様であるので、同一部分の説明は省略する。  
図６は、本発明の第６の実施形態にしたがったエレベータ制御装置の電力変換回路の構成例を示すブロック図である。
【００４３】
この回路は、図５に示した回路と比較して、冷却ファン駆動回路９ａ，９ｂが電力線で互いに接続される。  
この回路の動作を説明する。冷却ファン駆動回路９ａはスイッチング素子５ａの導通により電力を得た場合には、この一部を電力線を介して冷却ファン駆動回路９ｂに出力する。また、冷却ファン駆動回路９ｂはスイッチング素子５ｂの導通により電力を得た場合には、この一部を電力線を介して冷却ファン駆動回路９ａに出力する。
【００４４】
このような構成とすれば、複数台のエレベータのそれぞれに対応して設けられた電力変換回路の冷却ファン駆動回路のうちいずれかが電力を得れば、この電力を他の電力変換回路の冷却ファン駆動回路に供給することができる。他の冷却ファン駆動回路から電力の供給を受けた冷却ファン駆動回路は同一系統内の電動機が回生運転状態でない場合でもファンを回転駆動させることができる。
【００４５】
（第７の実施形態）
次に、本発明の第７の実施形態について説明する。なお、本実施形態に係るエレベータ制御装置の電力変換回路の構成および動作は図５に示したものと基本的にほぼ同様であるので、同一部分の説明は省略する。  
図７は、本発明の第７の実施形態にしたがったエレベータ制御装置の電力変換回路の構成例を示すブロック図である。
【００４６】
この回路は、図５に示した回路と比較して各エレベータ号機に共通のバッテリ２５をさらに備える。具体的にはスイッチング素子５ａのコレクタとエミッタの間およびスイッチング素子５ｂのコレクタとエミッタの間には冷却ファン駆動回路９ａや９ｂに代えて単一のバッテリ２５が設けられる。バッテリ２５は冷却ファン駆動回路９ａおよび９ｂと接続される。
【００４７】
この回路の動作を説明する。この回路ではスイッチング素子５ａがオン状態となるとバッテリ２５はスイッチング素子５ａのコレクタ・エミッタ間から電力を得て、これを蓄電する。また、バッテリ２５はスイッチング素子５ｂがオン状態となるとこのスイッチング素子５ｂのコレクタ・エミッタ間から電力を得て、これを蓄電する。
【００４８】
冷却ファン駆動回路９ａはバッテリ２５に蓄電された電力を冷却ファン電動機１０ａに供給する。これによりファン１１ａが回転駆動する。また、冷却ファン駆動回路９ｂはバッテリ２５に蓄電された電力を冷却ファン電動機１０ｂに供給する。これによりファン１１ｂが回転駆動する。
【００４９】
このような構成とすれば、直流出力ライン間の電圧値が前述した基準値以下である場合でもバッテリ２５に電力が残存していればファン１１ａ，１１ｂの回転駆動を継続することができる。よって電動機７ａ，７ｂが回生運転状態でない場合でも抵抗器８ａ，８ｂを空冷することができる。
【００５０】
（第８の実施形態）
次に、本発明の第８の実施形態について説明する。なお、本実施形態に係るエレベータ制御装置の電力変換回路の構成および動作は図７に示したものと基本的にほぼ同様であるので、同一部分の説明は省略する。  
図８は、本発明の第８の実施形態にしたがったエレベータ制御装置の電力変換回路の構成例を示すブロック図である。
【００５１】
この回路では、図７に示した回路と比較して電磁接触器２１ａ，２１ｂ、電磁接触器駆動回路２２ａ，２２ｂ、マイコン２３ａ，２３ｂ、監視モニタ２４ａ，２４ｂとをさらに設ける。電磁接触器駆動回路２２ａは電磁接触器２１ａの開閉を制御する。また、電磁接触器駆動回路２２ｂは電磁接触器２１ｂの開閉を制御する。
【００５２】
この回路では整流回路２ａの直流出力ラインの高電位点に電磁接触器２１ａの一端を接続し、整流回路２ｂの直流出力ラインの高電位点に電磁接触器２１ｂの一端を接続する。  
バッテリ２５は図７に示した回路と異なり、電磁接触器２１ａの他端と整流回路２ａの直流出力ラインの低電位点との間に設け、かつ、電磁接触器２１ｂの他端と整流回路２ｂの直流出力ラインの低電位点との間に設ける。ここで説明した高電位点と低電位点の関係は逆の関係であってもよい。
【００５３】
この回路では、回生制御回路４ａは直流出力ライン間の電圧値が回生電力の影響により予め定められた基準値を超えた場合には電磁接触器２１ａの励磁を指示するための制御信号をマイコン２３ａを介して電磁接触器駆動回路２２ａに出力する。回生制御回路４ｂは直流出力ライン間の電圧値が回生電力の影響により予め定められた基準値を超えた場合には電磁接触器２１ｂの励磁を指示するための制御信号をマイコン２３ｂを介して電磁接触器駆動回路２２ｂに出力する。
【００５４】
また、マイコン２３ａは冷却ファン駆動回路９ａの動作状態および電磁接触器駆動回路２２ａの動作状態を監視して、この結果を示す情報を監視モニタ２４ａに表示させる。マイコン２３ｂは冷却ファン駆動回路９ｂの動作状態および電磁接触器駆動回路２２ｂの動作状態を監視して、この結果を示す情報を監視モニタ２４ｂに表示させる。
【００５５】
このような構成とすることで、エレベータの管理者はエレベータ制御装置の電力変換回路のファンの動作状態および電磁接触器の動作状態のそれぞれが異常であるか否かをエレベータ号機ごとに容易に知ることができる。
【００５６】
（第９の実施形態）
次に、本発明の第９の実施形態について説明する。なお、本実施形態に係るエレベータ制御装置の電力変換回路の構成および動作は図８に示したものと基本的にほぼ同様であるので、同一部分の説明は省略する。  
図９は、本発明の第９の実施形態にしたがったエレベータ制御装置の電力変換回路の構成例を示すブロック図である。
【００５７】
この回路では、図８に示した回路と比較して、冷却ファン駆動回路３１ａ，３１ｂ、冷却ファン電動機３２ａ，３２ｂおよびファン３３ａ，３３ｂをさらに備える。ファン３３ａはインバータ６ａの発熱体を空冷するために設けられ、ファン３３ｂはインバータ６ｂの発熱体を空冷するために設けられる。
【００５８】
冷却ファン駆動回路３１ａ，３１ｂはバッテリ２５と接続される。冷却ファン駆動回路３１ａはバッテリ２５に蓄電された電力を冷却ファン電動機３２ａに出力することでファン３３ａを回転駆動させる。また、冷却ファン駆動回路３１ｂはバッテリ２５に蓄電された電力を冷却ファン電動機３２ｂに出力することでファン３３ｂを回転駆動させる。
【００５９】
このような構成とすれば、抵抗器８ａ，８ｂに加えインバータ６ａ，６ｂの発熱体をそれぞれ空冷することができる。
【００６０】
また、図示はしないが、図７に示した回路のバッテリ２５に冷却ファン駆動回路３１ａ，３１ｂを接続し、これらの駆動回路がバッテリ２５から電力を得て、冷却ファン電動機３２ａ，３２ｂにそれぞれ出力することでファン３３ａ，３３ｂをそれぞれ回転駆動させるようにしてもよい。
【００６１】
（第１０の実施形態）
次に、本発明の第１０の実施形態について説明する。なお、本実施形態に係るエレベータ制御装置の電力変換回路の構成のうち図２に示したものと同様の部分の詳しい説明は省略する。  
図１０は、本発明の第１０の実施形態にしたがったエレベータ制御装置の電力変換回路の構成例を示すブロック図である。
【００６２】
この回路は図２に示した回路と異なり、電磁接触器２１の一端は整流回路２の直流出力ラインの高電位点に接続される。また、電磁接触器２１の他端と直流出力ラインの低電位点との間にバッテリ２５が設けられる。ここで説明した高電位点と低電位点の関係は逆であってもよい。
【００６３】
この回路では図２に示した回路と比較して電磁接触器４１、平滑コンデンサ４２、スイッチング素子４３，４４、ハイブリッドシステム用電池４５をさらに設ける。直流出力ラインの高電位点には電磁接触器４１の一端が接続される。電磁接触器４１の他端は平滑コンデンサ４２の一端と接続される。
【００６４】
電磁接触器４１の他端にはスイッチング素子４３，４４が直列接続される。スイッチング素子４４のコレクタ・エミッタ間にはハイブリッドシステム用電池４５が接続される。スイッチング素子４４のエミッタおよび平滑コンデンサの他端は直流出力ラインの低電位点と接続される。
【００６５】
また、ファン１１は、図２に示した回路と異なり、ハイブリッドシステム用電池４５を空冷するために、この近傍に設けられる。バッテリ２５には冷却ファン駆動回路９が接続される。また、電磁接触器駆動回路２２は電磁接触器２１の開閉に加え、電磁接触器４１の開閉を制御する。
【００６６】
この回路の動作を説明する。回生制御回路４は直流出力ライン間の電圧値が回生電力の影響により予め定められた基準値を超えた場合に、半導体スイッチング素子５をオン状態とするのに加え、電子接触器駆動回路２２に対し、電磁接触器２１，４１の励磁を指示するための制御信号を出力する。電子接触器駆動回路２２は回生制御回路４からの制御信号を入力すると電磁接触器２１，４１を励磁させることでこれらをオン状態とする。
【００６７】
電磁接触器４１がオン状態となるとスイッチング素子４３，４４が導通し、ハイブリッドシステム用電池４５が回生電力の蓄電を開始する。
【００６８】
また、電磁接触器２１がオン状態となるとバッテリ２５は直流出力ライン間から電力を得て、これを蓄電する。冷却ファン駆動回路９はバッテリ２５に蓄電された電力を冷却ファン電動機１０に供給する。これによりファン１１が回転駆動する。  
このような構成とすれば、ハイブリッドシステム用電池４５をファン１１用の電源を別途設けることなく空冷することが可能になる。
【００６９】
（第１１の実施形態）
次に、本発明の第１１の実施形態について説明する。なお、本実施形態に係るエレベータ制御装置の電力変換回路の構成および動作は図１０に示したものと基本的にほぼ同様であるので、同一部分の説明は省略する。
【００７０】
図１１は、本発明の第１１の実施形態にしたがったエレベータ制御装置の電力変換回路の構成例を示すブロック図である。  
この回路は図１０に示した回路と比較してマイコン２３および監視モニタ２４をさらに備える。マイコン２３は回生制御回路４、冷却ファン駆動回路９、電磁接触器駆動回路２２および監視モニタ２４と接続される。
【００７１】
この回路では、回生制御回路４は直流出力ライン間の電圧値が回生電力の影響により予め定められた基準値を超えた場合には、電磁接触器２１の励磁を指示するための制御信号をマイコン２３を介して電磁接触器駆動回路２２に出力する。
【００７２】
また、マイコン２３は冷却ファン駆動回路９の動作状態および電磁接触器駆動回路２２の動作状態を監視して、この結果を示す情報を監視モニタ２４に表示させる。このような構成とすることで、エレベータの管理者はエレベータ制御装置の電力変換回路のファン１１の動作状態および電磁接触器２１，４１の動作状態のそれぞれが異常であるか否かを容易に知ることができる。
【００７３】
（第１２の実施形態）
次に、本発明の第１２の実施形態について説明する。なお、本実施形態に係るエレベータ制御装置の電力変換回路の構成のうち図１に示したものと同一部分の詳しい説明は省略する。
【００７４】
図１２は、本発明の第１２の実施形態にしたがったエレベータ制御装置の電力変換回路の通風孔内部の設置機器の一例を示す図である。  
この回路では、図１に示した回路と異なり、ファン１１の代わりにインバータ６の発熱体５１を空冷するためのファン５３ａ，５３ｂを設ける。また、抵抗器８の代わりに抵抗器５４ａ，５４ｂ，５４ｃが並列接続されて設けられる。
【００７５】
ファン５３ａ，５３ｂは図示しない冷却ファン電動機とそれぞれ接続される。冷却ファン駆動回路９がこれらの電動機に電力を与えることでファン５３ａ，５３ｂが回転駆動する。発熱体５１、ファン５３ａ，５３ｂおよび抵抗器５４ａ，５４ｂ，５４ｃは通風孔５５内に設けられる。発熱体５１には放熱用のフィン５２が取り付けられる。
【００７６】
図１３は、本発明の第１２の実施形態にしたがったエレベータ制御装置の電力変換回路の通風孔の断面図である。
【００７７】
図１３に示すように、通風孔５５内ではファン５３ａ，５３ｂが回転駆動することで外部から通風孔５５に流入して発熱体５１に吹き付けられる風が抵抗器５４ａ，５４ｂ，５４ｃにも吹き付けられる（矢印Ａ）ように発熱体５１、ファン５３ａ，５３ｂおよび抵抗器５４ａ，５４ｂ，５４ｃの位置関係が定められる。
【００７８】
具体的には、例えば抵抗器５４ａ，５４ｂ，５４ｃを通風孔５５に流入した風の方向と垂直となる方向に沿って一直線に並ぶように配置し、抵抗器５４ａ，５４ｂ，５４ｃからみてファン５３ａ，５３ｂより前方の位置に発熱体５１を配置する。この場合には発熱体５１に取り付けたフィン５２をファン５３ａ，５３ｂに向ける。これにより、発熱体５１および抵抗器５４ａ，５４ｂ，５４ｃを効率よく空冷することが可能になる。
【００７９】
なお、この発明は前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００８０】
【図１】本発明の第１の実施形態にしたがったエレベータ制御装置の電力変換回路の構成例を示すブロック図。
【図２】本発明の第２の実施形態にしたがったエレベータ制御装置の電力変換回路の構成例を示すブロック図。
【図３】本発明の第３の実施形態にしたがったエレベータ制御装置の電力変換回路の構成例を示すブロック図。
【図４】本発明の第４の実施形態にしたがったエレベータ制御装置の電力変換回路の構成例を示すブロック図。
【図５】本発明の第５の実施形態にしたがったエレベータ制御装置の電力変換回路の構成例を示すブロック図。
【図６】本発明の第６の実施形態にしたがったエレベータ制御装置の電力変換回路の構成例を示すブロック図。
【図７】本発明の第７の実施形態にしたがったエレベータ制御装置の電力変換回路の構成例を示すブロック図。
【図８】本発明の第８の実施形態にしたがったエレベータ制御装置の電力変換回路の構成例を示すブロック図。
【図９】本発明の第９の実施形態にしたがったエレベータ制御装置の電力変換回路の構成例を示すブロック図。
【図１０】本発明の第１０の実施形態にしたがったエレベータ制御装置の電力変換回路の構成例を示すブロック図。
【図１１】本発明の第１１の実施形態にしたがったエレベータ制御装置の電力変換回路の構成例を示すブロック図。
【図１２】本発明の第１２の実施形態にしたがったエレベータ制御装置の電力変換回路の通風孔内部の設置機器の一例を示す図。
【図１３】本発明の第１２の実施形態にしたがったエレベータ制御装置の電力変換回路の通風孔の断面図。
【図１４】従来のエレベータ制御装置の電力変換回路の構成例を示す図。
【符号の説明】
【００８１】
１…商用三相交流入力電源、２，２ａ，２ｂ…整流回路、３，３ａ，３ｂ，４２…平滑コンデンサ、４，４ａ，４ｂ…回生制御回路、５，５ａ，５ｂ，４３，４４…スイッチング素子、６，６ａ，６ｂ…インバータ、７，７ａ，７ｂ…電動機、８，８ａ，８ｂ，５４ａ，５４ｂ，５４ｃ…抵抗器、９，９ａ，９ｂ，３１ａ，３１ｂ…冷却ファン駆動回路、１０，１０ａ，１０ｂ，３２ａ，３２ｂ…冷却ファン電動機、１１，１１ａ，１１ｂ，３３ａ，３３ｂ，５３ａ，５３ｂ…ファン、２１，２１ａ，２１ｂ，４１…電磁接触器、２２，２２ａ，２２ｂ…電磁接触器駆動回路、２３，２３ａ，２３ｂ…マイコン、２４，２４ａ，２４ｂ…監視モニタ、２５…バッテリ、４５…ハイブリッドシステム用電池、５１…発熱体、５２…フィン、５５…通風孔。
【図１】
2007062896.tif 000003
【図２】
2007062896.tif 000004
【図３】
2007062896.tif 000005
【図４】
2007062896.tif 000006
【図５】
2007062896.tif 000007
【図６】
2007062896.tif 000008
【図７】
2007062896.tif 000009
【図８】
2007062896.tif 000010
【図９】
2007062896.tif 000011
【図１０】
2007062896.tif 000012
【図１１】
2007062896.tif 000013
【図１２】
2007062896.tif 000014
【図１３】
2007062896.tif 000015
【図１４】
2007062896.tif 000016